(57)【特許請求の範囲】
【請求項１】
表面シート、裏面シート及び両シート間に介在された吸収体を備え、実質的に縦長であり、腹側部と背側部とその間に位置する股下部とを有する吸収性物品であって、
前記股下部における前記吸収体は、中央吸収部と該中央吸収部の両側に位置し、該中央吸収部の厚さよりも厚みが小さい側方吸収部とを有しており、
前記側方吸収部は、着用時に、前記表面シート側に凸に屈曲する部分と前記裏面シート側に凸に屈曲する部分とが、前記側方吸収部の幅方向に、それぞれ、交互に形成されるようになされており、
着用時に、前記表面シート側に凸に屈曲する前記部分における前記裏面シート側の面には、弾性部材が前記吸収性物品の長手方向に延びるように配されている吸収性物品。
【請求項２】
表面シート、裏面シート及び両シート間に介在された吸収体を備え、実質的に縦長であり、腹側部と背側部とその間に位置する股下部とを有する吸収性物品であって、
前記股下部における前記吸収体は、中央吸収部と該中央吸収部の両側に位置し、該中央吸収部の厚さよりも厚みが小さい側方吸収部とを有しており、
前記側方吸収部は、着用時に、前記表面シート側に凸に屈曲する部分と前記裏面シート側に凸に屈曲する部分とが、前記側方吸収部の幅方向に、それぞれ、交互に形成されるようになされており、
着用時に、前記表面シート側に凸に屈曲する前記部分における前記表面シート側の面は、該表面シートと部分的に接合されている吸収性物品。
【請求項３】
着用時に、前記表面シート側に凸に屈曲する前記部分及び前記裏面シート側に凸に屈曲する前記部分それぞれには、エンボス溝、スリット又は左右両側の隣接部よりも坪量が低くて厚みが小さい部分からなる低坪量部が、前記吸収性物品の長手方向に延びるように形成されている請求項１又は２記載の吸収性物品。
【請求項４】
前記股下部における前記吸収体の両側縁間の幅は、２５０〜４００ｍｍである請求項１〜３の何れかに記載の吸収性物品。
【発明の詳細な説明】
【技術分野】
【０００１】
本発明は、吸収性物品、特に使い捨ておむつ等の吸収性物品に関する。
【背景技術】
【０００２】
着用時の股下部における横漏れ防止の工夫がなされている使い捨ておむつが知られている（例えば特許文献１）。本出願人は先に特許文献１において、液透過性の表面シート、液不透過性の裏面シート及びこれら両シートの間に位置する吸収体を有しており、吸収体が、股下部において巾が狭くなされた第１の吸収体と、前記巾が狭くなった部位の両側で第１の吸収体から離れた位置に設けられた一対の第２の吸収体を有し、第１の吸収体と、一対の第２の吸収体とが親水性シートで連結されている使い捨ておむつを提案している。このおむつによれば、おむつ着用時には、一対の第２の吸収体それぞれが、着用者の大腿部の内側面に沿って配されるようになされており、股下部における横漏れが防止されるようになっている。
【０００３】
また、本出願人は先の出願（特許文献２）において、特許文献１に記載のおむつにおける足回り部のフィット性を改善した使い捨ておむつを提案している。特許文献２に記載のおむつは、液透過性の表面シート、液不透過性の裏面シート及びこれら両シート間に介在された液保持性の吸収体を備え、実質的に縦長に形成されており、股下部における吸収体の両側部が、着用時に下方に屈曲して着用者の大腿部内側面に沿って配されるようになされており、吸収体の両側部に、複数の圧縮部が長手方向に間欠的に形成されている。
【０００４】
特許文献２に記載のおむつは、各圧縮部がおむつ幅方向に向って延びるように形成されているため、吸収体の両側部に局所的なたわみ、うねり、ヨレ等が生じることが防止されている。しかし、各圧縮部が、排泄部から着用者の足回り部へ向う方向に形成されているため、排泄された液が、圧縮部に沿って流れ、横漏れを生じるおそれがある。また、圧縮部により、吸収体の両側部が部分的に硬くなるため、股下部がつっぱってしまい、着用しにくい場合も考えられる。
【０００５】
【特許文献１】特開平１−１１９２５０号公報
【特許文献２】特開２００３−１４４４９２号公報
【発明の開示】
【発明が解決しようとする課題】
【０００６】
従って、本発明の目的は、股下部における横漏れ防止性及びフィット性に優れた吸収性物品を提供することにある。
【課題を解決するための手段】
【０００７】
本発明は、表面シート、裏面シート及び両シート間に介在された吸収体を備え、実質的に縦長であり、腹側部と背側部とその間に位置する股下部とを有する吸収性物品であって、該股下部における前記吸収体は、中央吸収部と該中央吸収部の両側に位置し、該中央吸収部の厚さよりも厚みが小さい側方吸収部とを有しており、該側方吸収部は、着用時に、前記表面シート側に凸に屈曲する部分と前記裏面シート側に凸に屈曲する部分とが、前記側方吸収部の幅方向に、それぞれ、交互に形成されるようになされている吸収性物品を提供することにより、上記目的を達成したものである。
【発明の効果】
【０００８】
本発明の吸収性物品によれば、股下部における横漏れ防止性及びフィット性に優れている。
【発明を実施するための最良の形態】
【０００９】
以下、本発明の吸収性物品の好ましい第１実施形態について、図１〜３を参照しながら説明する。
【００１０】
本実施形態の吸収性物品１としての展開型の使い捨ておむつは、図１〜図３に示すように、液透過性の表面シート２、液不透過性（難透過性を含む）の裏面シート３及び両シート間に介在された液保持性の吸収体４を備え、実質的に縦長であり、着用時に着用者の腹側に配される腹側部Ａと背側に配される背側部Ｂと、その間に位置し着用者の股下部に配される股下部Ｃとを有する。
また、本実施形態のおむつ１において、股下部Ｃにおける吸収体４は、中央吸収部４１と該中央吸収部４１の両側に位置し、該中央吸収部４１の厚さよりも厚みが小さい側方吸収部４２とを有しており、該側方吸収部４２は、図２及び図３に示すように、着用時に、表面シート２側に凸に屈曲する部分４３と裏面シート３側に凸に屈曲する部分４４とが、側方吸収部４２の幅方向に、それぞれ、交互に形成されるようになされている。
【００１１】
おむつ１において、吸収体４の長さは５８０〜９００ｍｍであり、股下部Ｃにおける吸収体４の両側縁間の幅は、２５０〜４００ｍｍであり、本実施形態のおむつ１は、成人用の使い捨ておむつである。尚、図２には、おむつ１の一方の側のみが示されているが、他方の側も同様に形成されている。
【００１２】
本実施形態のおむつ１について、更に詳述すると、その外形は、図１に示すように、長手方向の中央部分が幅狭に括れた略砂時計状の形状を有しており、表面シート２及び裏面シート３は、それぞれ、おむつ１の外形にほぼ等しい外形を有している。吸収体４は、縦長矩形形状を有し、図１に示すように、腹側部Ａから背側部Ｂに亘って配されており、表面シート２及び裏面シート３間に、その長手方向をおむつ長手方向と一致させるようにして挟持固定されている。
【００１３】
吸収体４の幅方向中央部には、縦長矩形形状の中央吸収部４１が、その長手方向を吸収体４と一致させて、該吸収体４の長手方向の両端部間に亘り配されている。
中央吸収部４１の各側縁４１Ａには、図２に示すように、可撓軸８が中央吸収部４１の長手方向に沿って形成されている。可撓軸８は、中央吸収部の各側縁４１Ａにおける裏面シート３側からのエンボス加工により形成されたエンボス溝である。各可撓軸８は、中央吸収部４１の長手方向の両端部間に亘り形成されている。
【００１４】
中央吸収部４１に可撓軸８，８が設けられているので、おむつ着用時には、一対の側方吸収部４２，４２が、図３に示すように、可撓軸８，８に沿って容易に折れ曲がり、着用者の大腿部内側面に沿って当接し、おむつ１が着用者の身体形状にフィットし易いようになっている。
【００１５】
次に、本実施形態のおむつ１における側方吸収部４２について、更に説明すると、一対の側方吸収部４２，４２が、図１及び図２に示すように、中央吸収部４１の長手方向両側縁４１Ａ，４１Ａに沿って配されている。一対の側方吸収部４２，４２は、それぞれ、縦長矩形形状を有しており、その長手方向を中央吸収部４１の長手方向と一致させるようにして、中央吸収部４１の長手方向の両側縁４１Ａ，４１Ａより幅方向外方に延出した表裏面シート２，３間にそれぞれ挟持固定されている。また、各側方吸収部４２は、図２に示すように、中央吸収部４１の側縁４１Ａと連設しており、該中央吸収部４１と同じ長さを有している。中央吸収部４１と一対の側方吸収部４２，４２とは、台紙（図示せず）により包まれている。
【００１６】
一対の側方吸収部４２，４２それぞれの幅は、６５〜１４０ｍｍであることが好ましい。各側方吸収部４２の幅が、６５ｍｍ以上であることにより、おむつ股下部Ｃにおける横漏れを確実に防止することができる。一方、各側方吸収部４２の幅が、１４０ｍｍ以下であることにより、おむつ１の良好なフィット性を確保することができる。
【００１７】
側方吸収部４２において、おむつ着用時に表面シート２側に凸に屈曲する部分４３の裏面シート３側の面には、図２及び図３に示すように、エンボス溝４５Ａが、おむつ長手方向に延びるように形成されている。同様に、おむつ着用時に裏面シート３側に凸に屈曲する部分４４の表面シート２側の面には、エンボス溝４５Ｂが、おむつ長手方向に延びるように形成されている。
本実施形態においては、エンボス溝４５Ａ，４５Ｂは、側方吸収部４２の長手方向の両端部に亘り形成されている。
【００１８】
本実施形態のおむつ１の着用時には、側方吸収部４２において、図３に示すように、おむつ着用時に表面シート２側に凸に屈曲する部分４３は、エンボス溝４５Ａに沿って、屈曲するようになっている。同様に、おむつ着用時に裏面シート３側に凸に屈曲する部分４４は、エンボス溝４５Ｂに沿って、屈曲するようになっている。
本実施形態のおむつ１において、着用時の側方吸収部４２には、表面シート２側に凸に屈曲する部分４３と裏面シート３側に凸に屈曲する部分４４とが、側方吸収部４２の幅方向に、それぞれ、交互に２つずつ形成されるようになっている。おむつ着用時に、前記部分４３，４４は、少なくとも股下部Ｃにおける側方吸収部４２に形成されるようになっている。
【００１９】
相隣り合うエンボス溝４５Ａ，４５Ｂのおむつ幅方向における間隔は、１３〜３５ｍｍ、特に１５〜２０ｍｍであることが好ましい。相隣り合うエンボス溝４５Ａ，４５Ｂのおむつ幅方向における間隔が１３ｍｍ以上であることにより、表面シート２側に凸に屈曲する部分４３で、中央吸収部４１からおむつ幅方向への液の移動を確実に防止することができる。一方、相隣り合うエンボス溝４５Ａ，４５Ｂのおむつ幅方向における間隔が３５ｍｍ以下であることにより、おむつ着用時に、着用者の大腿部内側において、側方吸収部４２が嵩張ったりすることなく、おむつ１の良好なフィット性が得られる上で好ましい。
【００２０】
エンボス溝４５Ａ，４５Ｂの幅は、０．５〜５ｍｍ、特に１〜５ｍｍであることが、側方吸収部４２に、前述した屈曲する部分４３，４４が良好に形成される上で好ましい。また、エンボス溝４５Ａ，４５Ｂの深さは、０．１〜５ｍｍ、特に０．５〜３ｍｍであることが、同様の観点から好ましい。
【００２１】
側方吸収部４２において、おむつ着用時に表面シート２側に凸に屈曲する部分４３の裏面シート３側の面には、図２及び図３に示すように、屈曲部形成用の弾性部材４６が、おむつ長手方向に延びるように配されている。
弾性部材４６は、その伸張状態で、側方吸収部４２の長手方向の両端部間に亘り、図２に示すように、エンボス溝４５Ａに埋め込まれており、接着剤等の公知の接合手段により、該エンボス溝４５Ａと接合されている。
【００２２】
側方吸収部４２において、おむつ着用時に表面シート２側に凸に屈曲する部分４３の表面シート２側の面は、図２及び図３に示すように、該表面シート２と部分的に接合されている。
詳述すると、表面シート２側に凸に屈曲する部分４３の表面シート２側の面には、接着剤が、おむつ長手方向の両端部間に亘り直線状に塗布され、側方吸収部４２と表面シート２とが、部分的に接合されている。そのため、おむつ着用時に、側方吸収部４２が屈曲した際にも、側方吸収部４２と表面シート２との一体性が保たれるようになっている。
【００２３】
また、同様に、側方吸収部４２において、おむつ着用時に裏面シート３側に凸に屈曲する部分４４の裏面シート３側の面も、図２及び図３に示すように、該裏面シート３と部分的に接合されている。
【００２４】
本実施形態のおむつ１について、更に説明すると、図１に示すように、背側部Ｂの両側縁部に、止着手段としてのファスニングテープ５が二対設けられている。腹側部Ａの外表面には、ファスニングテープ５を止着するためのランディングゾーン（図示せず）が設けられている。
また、おむつ１の背側部Ｂには、該背側部Ｂにおけるウエスト開口縁部（着用時にウエスト開口部の背中側の縁部を形成する部分）１１の近傍に、幅方向に、ウエストギャザー形成用のウエスト部弾性部材１３が配設されている。
【００２５】
また、おむつ１においては、表面シート２及び裏面シート３それぞれが、図２に示すように、側方吸収部４２よりも幅方向外方に向かって更に延出し、延出した両シート２，３によりおむつ１の両側縁部に吸収体の存在しないレッグフラップ７が形成されている。該レッグフラップ７には、おむつ長手方向に沿って、それぞれ複数のレッグギャザー形成用の弾性部材７１，７１が伸張状態で配設されている。
【００２６】
前述した中央吸収部４１の厚みは、３〜２５ｍｍ、特に５〜１０ｍｍであり、坪量は８０〜３６０ｇ／ｍ2、特に１００〜２５０ｇ／ｍ2であることが好ましい。また、一対の側方吸収部４２，４２それぞれの厚みは、１．５〜７ｍｍ、特に２〜５ｍｍであり、坪量は５０〜３００ｇ／ｍ2、特に８０〜２００ｇ／ｍ2であることが好ましい。
【００２７】
中央吸収部４１は、その厚みが３ｍｍ以上且つ坪量が８０ｇ／ｍ2以上であることにより、排泄部で排泄された体液を十分に吸収保持することができる。また、側方吸収部４２は、その厚みが１．５ｍｍ以上且つ坪量が５０ｇ／ｍ2以上であることにより、中央吸収部４１からおむつ幅方向へ移動してきた体液を十分に吸収保持することができる。一方、中央吸収部４１は、その厚みが２５ｍｍ以下且つ坪量が３６０ｇ／ｍ2以下であり、側方吸収部４２は、その厚みが７ｍｍ以下且つ坪量が３００ｇ／ｍ2以下であることが、おむつ１の良好なフィット性を確保する上で好ましい。
【００２８】
各吸収体の厚みは、例えば、以下の方法により測定される。
中央吸収部４１又は側方吸収部４２から、シワ、ヨレ等が極力少ない部分の吸収体の試験片を切り出し、ピーコック製卓上厚みゲージによって、５ｃｍ×５ｃｍの測定用プレートを載せて２．５ｇ／ｃｍ2荷重下の厚みを測定される。
【００２９】
また、各吸収部の坪量は、例えば、以下の方法により測定される。
中央吸収部４１又は側方吸収部４２において、シワ、ヨレ等が極力少ない部分から測定がしやすい寸法（例えば５ｃｍ×５ｃｍ）の吸収体の試験片を切り出して面積を計測し、その試験片の重量を測定し、坪量（ｇ／ｃｍ2）に換算する。尚、本発明において、「吸収部」とは、吸水ポリマー、パルプ、台紙など液の吸収保持を目的とした層を指し、表面シート２や裏面シート３は含まない。
【００３０】
本実施形態のおむつ１の各部の形成材料について説明すると、表面シート２、裏面シート３、ファスニングテープ５及びランディングゾーンの形成材料としては、それぞれ、従来、使い捨ておむつに用いられている各種のものを特に制限することなく用いることができる。
【００３１】
中央吸収部４１及び側方吸収部４２の形成材料としては、使い捨ておむつ等の吸収性物品における吸収体に従来用いられているものを特に制限することなく用いることができ、例えば、レーヨン、セルロース等の天然素材の親水性繊維の集合体や、ポリエチレン、ポリプロピレン等の合成繊維を表面処理したものの集合体、これらの繊維集合体に吸水性ポリマーを保持させたもの等を用いることができる。
【００３２】
屈曲部形成用の弾性部材４６、レッグギャザー形成用の弾性部材７１及びウエスト部弾性部材１３それぞれの形成素材としては、天然ゴム、合成ゴム、スパンデックス等の各種のものを用いることができ、それぞれの形態としては糸状、帯状、フィルム状等の各種のものを用いることができる。特に、屈曲部形成用の弾性部材４６及びレッグギャザー形成用の弾性部材７１は、足回りの収縮性、加工性、コストの観点から、糸ゴム又は平ゴム、特に平ゴムが好ましい。
【００３３】
前述した本実施形態のおむつ１によれば、その着用時に、少なくとも股下部Ｃの側方吸収部４２において、おむつ着用時に表面シート２側に凸に屈曲する部分４３が、エンボス溝４５Ａに沿って屈曲すると共に、おむつ着用時に裏面シート３側に凸に屈曲する部分４４が、エンボス溝４５Ｂに沿って屈曲する。
【００３４】
その結果、おむつ着用時に、中央吸収部４１からおむつ幅方向外方へ移動した体液は、おむつ長手方向に延びる裏面シート３側に凸に屈曲する部分４４に沿って移動して、側方吸収部２の全体で吸収され、且つおむつ長手方向に延びる表面シート２側に凸に屈曲する部分４３により、おむつ幅方向への移動が阻止されるため、股下部における横漏れが防止される。また、屈曲部形成用弾性部材４６及びレッグギャザー形成用の弾性部材７１の収縮力により、おむつ１全体、特に股下部Ｃが湾曲するので、おむつ１の着用がし易くなっており、且つ着用中のフィット性にも優れている。
更に、おむつ着用中には、側方吸収部４２が、着用者の肌と部分的に接触するので、側方吸収部４２が体液を吸収して湿潤しても、良好な装着感が得られる。
【００３５】
次に第２〜第４実施形態の吸収性物品としてのおむつ１を、図４〜図６を参照しながら説明する。第２〜第４実施形態について、特に説明しない点については、第１実施形態に関して詳述した説明が適宜適用される。また、図４〜図６において、図１〜図３と同じ部材に同じ符号を付してある。
【００３６】
本発明の好ましい第２実施形態のおむつ１は、図４に示すように、その側方吸収部４２において、おむつ着用時に、表面シート２側に凸に屈曲する部分４３及び裏面シート３側に凸に屈曲する部分４４それぞれには、スリット４７Ａ，４７Ｂが、おむつ１の長手方向に延びるように形成されている。
本実施形態においては、スリット４７Ａ，４７Ｂは、側方吸収部４２の長手方向の両端部に亘り形成されている。
【００３７】
本実施形態のおむつ１の着用時には、側方吸収部４２において、おむつ着用時に表面シート２側に凸に屈曲する部分４３は、スリット４７Ａに沿って、屈曲するようになっている。同様に、おむつ着用時に裏面シート３側に凸に屈曲する部分４４は、スリット４７Ｂに沿って、屈曲するようになっている。
【００３８】
側方吸収部４２において、スリット４７Ａ，４７Ｂを、側方吸収部４２の厚み方向全体に亘るように形成し、該側方吸収部４２をその幅方向に複数に分割しても良いが、スリット４７Ａ，４７Ｂを、側方吸収部４２の厚み方向の途中まで形成し、側方吸収部４２全体が一体性を有している方が、加工工程の簡略化及び防漏効果向上の観点から好ましい。
【００３９】
そして、スリット４７Ａ，４７Ｂの深さは、０．５〜６ｍｍ、特に１〜４ｍｍであることが、側方吸収部４２全体が一体性を有し、また、側方吸収部４２に、前述した屈曲する部分４３，４４が良好に形成される上で好ましい。
【００４０】
側方吸収部４２において、おむつ着用時に表面シート２側に凸に屈曲する部分４３の裏面シート３側の面には、図４に示すように、屈曲部形成用の弾性部材４６が、おむつ長手方向に延びるように配されている。
弾性部材４６は、その伸張状態で、側方吸収部４２の長手方向の両端部間に亘り、スリット４７Ａに埋め込まれており、接着剤等の公知の接合手段により、該スリット４７Ａと接合されている。
【００４１】
また、中央吸収部４１の各側縁４１Ａには、図４に示すように、可撓軸８が中央吸収部４１の長手方向に沿って形成されている。可撓軸８は、中央吸収部の各側縁４１Ａにおける裏面シート３側の面に形成されたスリットである。可撓軸８としての該スリットは、中央吸収部４１の長手方向の両端部間に亘り形成されている。
その他の構成は、前述した第１実施形態と同様である。
【００４２】
前述した本実施形態のおむつ１によれば、前述した第１実施形態と同様の効果が奏される。
【００４３】
本発明の好ましい第３実施形態のおむつ１は、図５に示すように、その側方吸収部４２において、おむつ着用時に、表面シート２側に凸に屈曲する部分４３及び裏面シート３側に凸に屈曲する部分４４それぞれには、左右両側の隣接部よりも坪量が低くて厚みが小さい部分からなる低坪量部４８が、おむつ１の長手方向に延びるように形成されている。
【００４４】
低坪量部４８は、該低坪量部４８の左右両側の隣接部よりも、表面シート２側の面及び裏面シート３側の面それぞれが、側方吸収部４２の厚み方向に陥没して形成されている。
本実施形態においては、低坪量部４８は、側方吸収部４２の長手方向の両端部に亘り形成されている。
【００４５】
また、側方吸収部４２において、おむつ着用時に表面シート２側に凸に屈曲する部分４３の裏面シート３側の面には、図５に示すように、屈曲部形成用の弾性部材４６が、おむつ長手方向に延びるように配されている。
詳述すると、弾性部材４６は、その伸張状態で、図５に示すように、側方吸収部４２の長手方向の両端部間に亘り、低坪量部４８に埋め込まれており、接着剤等の公知の接合手段により、該溝４８と接合されている。
【００４６】
本実施形態のおむつ１の着用時には、側方吸収部４２において、おむつ着用時に表面シート２側に凸に屈曲する部分４３は、低坪量部４８に沿って、屈曲するようになっている。同様に、おむつ着用時に裏面シート３側に凸に屈曲する部分４４は、低坪量部４８に沿って、屈曲するようになっている。
【００４７】
側方吸収部４２において、前記溝４８の左右両側の隣接部における表面シート２側の面及び裏面シート３側の面それぞれが、図５に示すように、表面シート２又は裏面シート３と接合されている。そのため、おむつ着用時に側方吸収部４２が屈曲した際にも、側方吸収部４２は、表面シート２及び裏面シート３それぞれと一体性が保たれるようになっている。
【００４８】
低坪量部４８の幅は、１〜５ｍｍ、特に１．５〜３ｍｍであることが、側方吸収部４２に、前述した屈曲する部分４３，４４が良好に形成される上で好ましい。また、低坪量部４８の表面シート２側又は裏面シート３側における深さは、０．２〜３ｍｍ、特に０．５〜１ｍｍであることが、同様の観点から好ましい。
【００４９】
低坪量部４８の坪量は、２５〜１５０ｇ／ｍ2、特に４０〜１００ｇ／ｍ2であることが、側方吸収部４２に、前述した屈曲する部分４３，４４が良好に形成される上で好ましい。
その他の構成は、前述した第１実施形態と同様である。
【００５０】
前述した本実施形態のおむつ１によれば、前述した第１実施形態と同様の効果が奏される。
【００５１】
本発明の好ましい第４実施形態のおむつ１は、図６に示すように、側方吸収部４２において、おむつ着用時に裏面シート３側に凸に屈曲する部分４４の表面シート２側の面には、エンボス溝４５Ｂが、おむつ長手方向に延びるように形成されているが、おむつ着用時に表面シート２側に凸に屈曲する部分４３の裏面シート３側の面には、エンボス溝が、形成されていない。
その他の構成は、前述した第１実施形態と同様である。
【００５２】
前述した本実施形態のおむつ１によれば、おむつ１の製造時に形成するエンボス溝の数が少ないので、製造コストの低減が図れる。また、前述した第１実施形態と同様の効果が奏される。
【００５３】
本発明の吸収性物品としての使い捨ておむつは、前述した実施形態に制限されることなく、本発明の趣旨を逸脱しない限り適宜変更が可能である。
例えば、本発明のおむつ１において、側方吸収部４２におけるエンボス溝４５、スリット４７又は低坪量部４８のパターンは、少なくとも股下部Ｃにおいて形成されていれば良く、側方吸収部４２の長手方向の前後端部に亘って形成されていなくても良い。
また、側方吸収部４２におけるエンボス溝４５、スリット４７又は低坪量部４８のパターンは、図７（ａ）に示すように、おむつ１幅方向内方に凸の「く」の字形状に形成されていても良く、又は図７（ｂ）に示すように、おむつ幅方向内方に凸に湾曲した曲線形状であっても良い。
【００５４】
更に、吸収体４において、中央吸収部４１は、図８（ａ）に示すように、略砂時計状の形状を有していて、左右両側の括れている部分に側方吸収部４２が形成されていても良い。また、中央吸収部４１は、各実施形態において、吸収体４の長手方向の両端部間に亘って、側方吸収部４２の厚みよりも厚さが大きく形成されていたが、中央吸収部４１は、図８（ｂ）に示すように、股下部Ｃのみ、側方吸収部４２の厚みよりも厚さが大きく形成されていても良い。
【００５５】
前述した一の実施形態における説明省略部分及び一の実施形態のみが有する部分は、すべて適宜相互に利用できる。
本発明の吸収性物品は、成人用の使い捨ておむつであっても良いが、幼児用の使い捨ておむつであっても良い。
【図面の簡単な説明】
【００５６】
【図１】図１は、本発明の吸収性物品の第１実施形態としての使い捨ておむつを各部の弾性部材を伸張させて平面状に拡げた状態を示す平面図である。
【図２】図２は、図１のＸ−Ｘ線拡大断面図である。
【図３】図３は、図１のおむつの着用状態を示す断面図である。
【図４】図４は、本発明の第２実施形態の使い捨ておむつを示す図２に相当する断面図である。
【図５】図５は、本発明の第３実施形態の使い捨ておむつを示す図２に相当する断面図である。
【図６】図６は、本発明の第４実施形態の使い捨ておむつを示す図２に相当する断面図である。
【図７】図７（ａ）及び（ｂ）は、本発明における他の実施形態の使い捨ておむつを示しており、それぞれ、側方吸収部の屈曲する部分のパターンが異なっている。
【図８】図８（ａ）及び（ｂ）は、本発明の更に他の実施形態の使い捨ておむつを示しており、それぞれ、中央吸収部の形状が異なっている。
【符号の説明】
【００５７】
１  使い捨ておむつ（吸収性物品）
２  表面シート
３  裏面シート
４  吸収体
４１  中央吸収部
４２  側方吸収部
４３  表面シート側に凸に屈曲する部分
４４  裏面シート側に凸に屈曲する部分
４５  エンボス溝
４６  屈曲部形成用の弾性部材
４７  スリット
４８  低坪量部
５  ファスニングテープ
７  レッグフラップ
７１  レッグギャザー形成用の弾性部材
８  可撓軸
Ａ  腹側部
Ｂ  背側部
Ｃ  股下部
【図１】
0004397370.tif 000002
【図２】
0004397370.tif 000003
【図３】
0004397370.tif 000004
【図４】
0004397370.tif 000005
【図５】
0004397370.tif 000006
【図６】
0004397370.tif 000007
【図７】
0004397370.tif 000008
【図８】
0004397370.tif 000009